(57)【要約】【課題】自動車電話装置にて複数の携帯電話との使い分けを可能にする。【解決手段】携帯電話２００乃至２０２の電話番号をＳＩＭカードに記憶させて、携帯電話から送信される携帯情報読出応答信号を受信し、この携帯情報読出応答信号に含まれる電話番号が、ＳＩＭカードに記憶される各電話番号のいずれかに一致するときには、携帯情報読出応答信号に含まれる電話番号に対応する携帯電話の電話機能を停止させるとともに、対応携帯電話の電話番号により電話機能を使用可能にする。これにより、携帯情報読出応答信号に含まれる電話番号が、ＳＩＭカードに記憶される複数の電話番号のいずれかに一致する場合には、対応電話番号に対応する携帯電話との使い分けを可能できる。ＳＩＭカードには、複数の電話番号が記憶されているので、複数の電話番号に対応する複数の携帯電話との使い分けを可能になる。【選択図】        図１
2004193641.tif 000002
【特許請求の範囲】
【請求項１】
複数の携帯電話のＩＤコードを記憶する記憶手段（５１）と、
携帯電話（２０１、２０２）から送信されるＩＤコードを受信する受信手段（１００ｂ）と、
前記受信手段により受信される受信ＩＤコードが、前記記憶手段に記憶される複数のＩＤコードのいずれかに一致するか否かを判定する判定手段（１０２）と、
前記受信コードが前記記憶された複数のＩＤコードのいずれかに一致することを前記判定手段が判定したときには、前記受信コードに対応する携帯電話の電話機能を停止させるとともに、前記受信コードに対応する携帯電話の電話番号により電話機能を使用可能にする動作手段（１０５）と、を有することを特徴とする自動車電話装置。
【請求項２】
前記記憶手段は、前記電話機能に用いられる電話番号を決めるための優先順位を前記ＩＤコード毎に記憶するものであり、
前記受信手段が複数のＩＤコードを受信し、かつこの受信された複数の受信コードが前記記憶された複数のＩＤコードのいずれかに一致することを前記判定手段が判定したときには、前記記憶されるＩＤコード毎の優先順位に基づき、前記切り換える電話番号を決める決定手段（１０４）を有し、
前記動作手段が、前記決定される電話番号に対応する携帯電話の電話機能を停止させるとともに、前記決定される電話番号により電話機能を使用可能にすることを特徴とする請求項１に記載の自動車電話装置。
【請求項３】
ハンズフリー通話を行うための手段（１２乃至１４）を備えていることを特徴とする請求項１又は２に記載の自動車電話装置。
【発明の詳細な説明】
【０００１】
【発明の属する技術分野】
本発明は、車両に搭載される自動車電話装置に関する。
【０００２】
【従来の技術】
従来、自動車電話と携帯電話とを同一の電話番号で設定しておき、携帯電話の位置に応じて、自動車電話および携帯電話のうち一方が当該電話番号で使用可能にする車内ＬＡＮシステムが提案されている（例えば、特許文献１参照）。
【０００３】
具体的には、携帯電話が車室外に位置するときには自動車電話に対して電話機能を停止するとともに携帯電話に対して当該電話番号で使用可能にするように移動体通信網に対して登録する。また携帯電話が車室内に持ち込まれると携帯電話の電話機能を停止するとともに自動車電話に対して当該電話番号で使用可能にするように移動体通信網に対して登録する。
【０００４】
このことにより、使用者が乗車したときには、携帯電話の電話機能を停止するとともに、自動車電話の電話機能を起動させることになる。これに伴い、使用者が乗車したときに、携帯電話ではなく自動車電話に対して着信を発生させるようにすることができる。したがって、自動車に乗車した使用者が、着実に、自動車電話に装備されるハンズフリー通話機能を用いて通話を行うことができるようになる。
【０００５】
【特許文献１】
特開２００１−１９７５６０号公報
【０００６】
【発明が解決しようとする課題】
しかし、上述の車内ＬＡＮシステムは、予め登録された１つの携帯電話が車室内に持ち込まれたときにだけ、当該登録された携帯電話に代えて自動車電話を使用可能にするものである。したがって、予め登録された携帯電話以外の他の携帯電話が車室内に持ち込まれたときには、他の携帯電話に代えて自動車電話を使用可能にすることはできない。
【０００７】
例えば、家族の全員が個々に異なる電話番号の携帯電話を持っており、全員が共有で一台の自動車を利用する場合、図５に示すように、家族の一人（Ａさん）の携帯電話が車室内に持ち込まれたときに当該携帯電話に代えて自動車電話を使用可能にすることができるものの、残りの家族（Ｂさん）の携帯電話が車室内に持ち込まれてもこの携帯電話に代えて自動車電話を使用可能にすることができない。すなわち、家族の全員が、個々に、乗車している場合と降車している場合とで自動車電話と携帯電話との使い分けを行うことができない。
【０００８】
本発明は、家族、会社単位等で各々電話番号の異なる複数の携帯電話が所持されることに着目して、電話番号の異なる複数の携帯電話との使い分けを可能にするようにした自動車電話装置を提供することを目的とする。
【０００９】
【課題を解決するための手段】
本発明は、上記目的を達成するために、請求項１に記載の発明では、複数の携帯電話のＩＤコードを記憶する記憶手段（５１）と、携帯電話（２０１、２０２）から送信されるＩＤコードを受信する受信手段（１００ｂ）と、受信手段により受信される受信ＩＤコードが、記憶手段に記憶される複数のＩＤコードのいずれかに一致するか否かを判定する判定手段（１０２）と、受信コードが記憶された複数のＩＤコードのいずれかに一致することを判定手段が判定したときには、受信コードに対応する携帯電話の電話機能を停止させるとともに、受信コードに対応する携帯電話の電話番号により電話機能を使用可能にする動作手段（１０５）と、を有することを特徴とする。
【００１０】
これにより、受信コードが記憶手段に記憶される複数のＩＤコードのいずれかに一致する場合には、受信コードに対応する携帯電話との使い分けを可能にすることができる。そして、記憶手段には、複数のＩＤコードが記憶されているので、自動車電話装置としては、複数のＩＤコードに対応する複数の携帯電話との使い分けを可能にすることができることになる。
【００１１】
なお、記憶手段に記憶れていないＩＤコードを受信した場合には、当該ＩＤコードに対応する携帯電話との使い分けを不可能にするので、ＩＤコードを記憶手段に記憶させていない携帯電話を用いて、自動車電話装置を無断使用することをを防止できる。
【００１２】
具体的には、請求項２に記載の発明のように、記憶手段は、電話機能に用いられる電話番号を決めるための優先順位をＩＤコード毎に記憶するものであり、受信手段が複数のＩＤコードを受信し、かつこの受信された複数の受信コードが記憶された複数のＩＤコードのいずれかに一致することを判定手段が判定したときには、記憶されるＩＤコード毎の優先順位に基づき、切り換える電話番号を決める決定手段（１０４）を有し、動作手段が、決定される電話番号に対応する携帯電話の電話機能を停止させるとともに、決定される電話番号により電話機能を使用可能にするようにしてもよい。
【００１３】
さらに、請求項３に記載の発明では、ハンズフリー通話を行うための手段（１２乃至１４）を備えていることを特徴とする。
【００１４】
因みに、上記各手段の括弧内の符号は、後述する実施形態に記載の具体的手段との対応関係を示す一例である。
【００１５】
【発明の実施の形態】
図１に本発明の一実施形態の自動車電話装置１００の概略構成を示す。
【００１６】
自動車電話装置１００は、図１に示すように、送受信部１０、データ変換部１１、音声処理部１２、スピーカ１３、マイク１４、キー操作部２０、キー操作検出部２１、スイッチ検出部２３、ディスプレイ３０、表示制御部３１、携帯電話接続管理部４０、インターフェス（ＩＦ）４１乃至４３、制御回路５０、メモリ５１および車両情報制御部６０を備えている。
【００１７】
音声処理部１２は、使用者から発生される送話音声に基づきマイク１４から出力される送話音声信号を送話音声デジタル信号にアナログ／デジタル変換する。また音声処理部１２は、データデータ変換部１１から出力される受話音声デジタル信号を受話音声信号にデジタル／アナログ変換して、この受話音声信号に基づきスピーカ１３から受話音声を出力させる。スピーカ１３およびマイク１４は、ハンズフリー通話のために車両側に配置されている。
【００１８】
データ変換部１１は、音声処理部１２から出力される送話音声デジタル信号に対してπ／４シフトＤＱＰＳＫ変調等のデジタル変調するとともに、送受信部１０から受信される直交復調信号をデジタル復調する。
【００１９】
送受信部１０は、データ変換部１１によりデジタル変調される送話音声デジタル信号を例えば８００ＭＨｚ帯の搬送波信号によって直交変調して、アンテナ７０から送信電波信号として外部に送信させる。また送受信部１０は、アンテナ７０を介して受信される受信電波信号を直交復調して直交復調信号をデータ変換部１１に出力する。
【００２０】
キー操作部２０は、通話開始、終話等の各種の機能が割り付けられている各キーを有するとともに、各キーへの操作に応じて操作信号を出力する。キー操作検出部２１は、キー操作部２０から出力される操作信号に対して波形整形等の処理を施して制御回路５０に出力する。
【００２１】
またキー操作検出部２１は、外部キー操作部２２から出力される操作信号に対しても波形整形等の処理を施してを制御回路５０に出力する。さらに外部キー操作部２２は、電話番号、暗証番号等の文字・数字を入力するための文字・数字キーを有する。また、スイッチ検出部２３は、緊急通報用のスイッチ２４から出力されるスイッチ信号に対して波形整形等の処理を施してを制御回路５０に出力する。
【００２２】
ディスプレイ３０は、表示制御部３１により制御されて、各種の画像を表示する。また表示制御部３１は、外部ディスプレイ３２を制御して各種の画像を表示させることもできる。また、携帯電話接続管理部４０は、インターフェス（ＩＦ）４１乃至４３を介して携帯電話２００乃至２０２との間の通信管理処理を行う。
【００２３】
インターフェイス回路４１は、携帯電話接続管理部４０による制御の基、携帯電話２００との間でアンテナ４１ａを介して無線通信を行う。当該無線通信の通信規約としては、Ｂｌｅｕｔｏｏｔｈの規約が用いられる。
【００２４】
またインターフェイス回路４２は、携帯電話２０１に接続された接続ケーブル４４を接続するためのコネクタを備えるものであり、インターフェイス回路４３は、携帯電話２０２に接続された接続ケーブル４５を接続するためのコネクタを備えるものである。
【００２５】
なお、インターフェイス回路４２、４３としては、ＵＳＢ（Ｕｎｉｖｅｒｓａｌ、Ｓｅｒｉａｌ  Ｂａｓ）やＵＡＲＴ（Ｕｎｉｖｅｒｓａｌ  Ａｓｙｎｃｈｒｎｏｕｓ  Ｒｅｃｅｉｖｅｒ  Ｔｒａｎｓｍｉｔｔｅｒ）の規格に対応するものが用いられている。
【００２６】
制御回路５０は、マイクロコンピュータ等から構成されて、スピーカ１３およびマイク１４を用いてハンズフリー通話を行うための処理、ユーザの使用可能である電話器を携帯電話から自動車電話装置１００自身に切り換えるための電話切換処理などを行う。そして、メモリ５１は、ＲＡＭ、ＥＥＰＲＯＭ、ＳＩＭカードなどから構成されて、ＲＡＭおよびＥＥＰＲＯＭは、制御回路５０の処理に伴うデータ、コンピュータプログラム等を記憶する。また、ＳＩＭカードは、複数の携帯電話の電話番号、暗証番号、優先順位などの登録データを記憶する。なお、ＳＩＭカードに記憶される登録データの詳細については、後述する。
【００２７】
次に、本実施形態の作用について図２乃至図４を参照して説明する。図２は、自動車電話装置１００に対して携帯電話２０１、２０２を接続したときに、自動車電話装置１００と携帯電話２０１、２０２とが行う通信の手順（プロトコル）を示すシグナルシーケンスである。
【００２８】
先ず、二人のユーザが、個々に、携帯電話２０１、２０２を当該車室内に持ち込み、インターフェイス回路４２に対して接続ケーブル４３を介して携帯電話２０１を接続するとともに、インターフェイス回路４３に対して接続ケーブル４５を介して携帯電話２０２を接続する。
【００２９】
次に、ユーザ１がイグニッションスイッチをキー操作してＡＳＳスイッチ（アクセサリスイッチ）をＯＮさせる。これに伴い、自動車電話装置１００は、ＡＳＳスイッチを介して車載バッテリから給電される。これに伴い、制御回路５０が、携帯電話２０１、２０２に対して接続しているか否かを確認するための接続確認処理を行う（ステップ１００）。
【００３０】
すなわち、携帯電話２０１、２０２に対して接続しているか否かを確認するための確認信号を携帯電話接続管理部４０により出力させる。ここで、確認信号はインターフェイス回路４２を介して携帯電話（Ａ）２０１に送られ、携帯電話（Ａ）２０１が確認信号を受信するとこの確認信号の受信を通知するための確認応答信号を出力する。また携帯電話接続管理部４０から出力される確認信号はインターフェイス回路４３を介して携帯電話（Ｂ）２０２にも送られる。そして、携帯電話（Ｂ）２０２が確認信号を受信するとこの確認信号の受信を通知するための確認応答信号を出力する。
【００３１】
その後、制御回路５０が、確認信号の送信後一定期間の間で、携帯電話２０１、２０２からの確認応答信号をインターフェイス回路４２、４３を介して受信したときには、携帯電話２０１、２０２の個々と通信接続していることを判定することになる。
【００３２】
次に、携帯電話２０１、２０２に対して個々に電話番号（ＩＤコード）を読み出すための携帯情報読出要求信号（図２中符号Ｙ１、Ｙ２参照）を携帯電話接続管理部４０により送信させる（ステップ１００ａ）。
【００３３】
ここで、携帯情報読出要求信号がインターフェイス回路４２を介して携帯電話２０１に送られると、携帯電話２０１は、電話番号（０９０−ＡＡＡＡ−ＡＡＡＡ）を含む携帯情報読出応答信号を出力する。また、携帯情報読出要求信号がインターフェイス回路４２を介して携帯電話２０２にも送られ、携帯電話２０２が携帯情報読出要求信号を受信すると、電話番号（０９０−ＢＢＢＢ−ＢＢＢＢ）を含む携帯情報読出応答信号を出力する。
【００３４】
次に、制御回路５０が、携帯情報読出要求信号の送信後一定期間の間で、携帯電話２０１、２０２からの携帯情報読出応答信号をインターフェイス回路４２、４３を介して受信したときには（ステップ１００ｂ）、ＳＩＭカードから登録データを読み出す（ステップ１０１）。
【００３５】
ここで、登録データは、図３に示すように、複数の電話番号（０９０−ＡＡＡＡ−ＡＡＡＡ、０９０−ＢＢＢＢ−ＢＢＢＢ、０９０−ＣＣＣＣ−ＣＣＣＣ、０９０−ＤＤＤＤ−ＤＤＤＤ…）、電話番号毎の順位順位、電話番号毎の切替許可／非許可の設定、および電話番号毎の暗証番号から構成されている。
【００３６】
ここで、切替許可／非許可の設定とは、使用者の使用可能な電話器を携帯電話から自動車電話装置１００に切り換えることが許可されているか否かを示す設定データである。また優先順位とは、後述するように、自動車電話装置１００の電話機能に用いられる電話番号を決めるためのデータである。そして、暗証番号は、移動体通信網の交換局１０５に対して電話番号毎に登録された識別データである。
【００３７】
そして、制御回路５０が、携帯電話２０１、２０２からの携帯情報読出応答信号に基づき、携帯電話２０１、２０２の電話番号（０９０−ＡＡＡＡ−ＡＡＡＡ、０９０−ＢＢＢＢ−ＢＢＢＢ）が、上述のように記憶されている複数の電話番号のいずれかに一致するか否かを判定する。すなわち、携帯電話２０１、２０２の電話番号が、登録データとしてＳＩＭカードに登録されているか否かを判定する（ステップ１０２）。
【００３８】
ここで、携帯電話２０１、２０２の双方の電話番号が、登録データとしてＳＩＭカードに登録されていることを制御回路５０が判定した場合には、制御回路５０が、登録データを参照して、双方の電話番号に対して使用者の使用可能な電話器を携帯電話から自動車電話装置１００に切り換えることが許可されているか否かを判定する（ステップ１０３）。
【００３９】
ここで、ＳＩＭカードにおいて、双方の電話番号に対して切替許可を示す設定データが登録データとして記憶されている場合には、制御回路５０は、双方の電話番号に対して使用者の使用可能な電話器を携帯電話から自動車電話装置１００に切り換えることが許可されていると判定する。この場合、双方の電話番号のうちいずれの方の切替優先度が高いかを、登録データに含まれる電話番号毎の順位順位に基づき、判定する（ステップ１０４）。
【００４０】
ここで、図３に示すように、携帯電話（Ａ）２０１の電話番号（０９０−ＡＡＡＡ−ＡＡＡＡ）の優先度（１）の方が、携帯電話（Ｂ）２０２の電話番号（０９０−ＢＢＢＢ−ＢＢＢＢ）の優先度（２）に比べて高い場合には、制御回路５０は、自動車電話装置１００の電話機能で用いられる電話番号として、携帯電話（Ａ）２０１の電話番号（０９０−ＡＡＡＡ−ＡＡＡＡ）を決定する。
【００４１】
これに伴い、制御回路５０は、電話機能を停止させるための電話機能停止信号（図２中符号Ｙ５参照）を携帯電話接続管理部４０およびインターフェイス回路４２を介して携帯電話（Ａ）２０１に対して出力する。このため、携帯電話（Ａ）２０１が、電話機能停止信号を受信すると、電話機能停止信号の受信を通知するための停止応答信号（図２中符号Ｙ６参照）を出力するとともに、スリープ状態となる（ステップ１０７）。
【００４２】
その後、制御回路５０が停止応答信号を受信すると、移動体通信網の交換局３００との間でセレクトホン切換処理を実行する（ステップ１０５）。具体的には、登録データに含まれる電話番号毎の暗証番号のうち携帯電話（Ａ）２０１に対応する暗証番号をＳＩＭカードから呼出す。これに加えて、移動体通信網の基地局を介して交換局１０５を発呼して、対応暗証番号を含むセレクトホン切替信号を送信する。
【００４３】
このことにより、交換局１０５に対して、携帯電話（Ａ）２０１の電話機能を停止させ、かつ携帯電話（Ａ）の電話番号（０９０−ＡＡＡＡ−ＡＡＡＡ）による自動車電話装置１００の電話機能を使用可能にさせるように登録することになる。これに伴い、他の電話器により電話番号（０９０−ＡＡＡＡ−ＡＡＡＡ）を指定して発呼したときには、携帯電話（Ａ）２０１に対して着信が発生せずに、自動車電話装置１００に対して着信が発生することになる。すなわち、ユーザ１が使用可能な電話器が携帯電話（Ａ）２０１から自動車電話装置１００に切り替わるセレクトホン切替設定中となる（ステップ１０６）。
【００４４】
また、携帯電話２０１、２０２の双方の電話番号が、登録データとしてＳＩＭカードに登録されているのではなく、携帯電話２０１、２０２の一方の電話番号だけが、登録データとしてＳＩＭカードに登録されている場合には、次のように、交換局３００に対して登録する。すなわち、優先順位に関わりなく、一方の電話番号に対応する携帯電話の電話機能を停止させ、かつ対応携帯電話の電話番号による自動車電話装置１００の電話機能を使用可能にさせるように交換局３００に対して登録することになる。
【００４５】
なお、携帯電話２０１、２０２の一方の電話番号が、登録データとしてＳＩＭカードに登録されていることを制御回路５０が判定した場合でも、制御回路５０が、登録データに基づき、一方の電話番号に対して使用者の使用可能な電話器を携帯電話から自動車電話装置１００に切り換えることが許可されていないことを判定したときには、一方の電話番号に対して使用者の使用可能な電話器を携帯電話から自動車電話装置１００に切り換えない。
【００４６】
以上説明した本実施形態によれば、複数の携帯電話２００乃至２０２の電話番号（ＩＤコード）をメモリ５１のＳＩＭカードに記憶させて、携帯電話から送信される携帯情報読出応答信号を受信し、この受信される携帯情報読出応答信号に含まれる電話番号（受信ＩＤコード）が、ＳＩＭカードに記憶される各電話番号のいずれかに一致することを判定したときには、携帯情報読出応答信号に含まれる電話番号に対応する携帯電話の電話機能を停止させるとともに、対応する携帯電話の電話番号により電話機能を使用可能にする。
【００４７】
これにより、携帯情報読出応答信号に含まれる電話番号が、ＳＩＭカードに記憶される複数の電話番号のいずれかに一致する場合には、対応電話番号に対応する携帯電話との使い分けを可能にすることができる。
【００４８】
ここで、例えば、ＳＩＭカードに、家族、会社単位で複数の電話番号が記憶させておけば、図４に示すように、家族の一員（Ａさん）が携帯電話Ａを車内に持ち込んだときには、携帯電話ｋａの電話番号に対してＡさんの使用可能な電話器を携帯電話ｋａから自動車電話装置１００に切り換えることができる。また、Ａさんに代えて、家族の他の一員（Ｂさん）が携帯電話ｋｂを車内に持ち込んだときには、携帯電話ｋｂの電話番号に対してＢさんの使用可能な電話器を携帯電話ｋｂから自動車電話装置１００に切り換えることができる。このように、自動車電話装置１００としては、複数の電話番号に対応する複数の携帯電話との使い分けを可能にすることができる。
【００４９】
なお、ＳＩＭカードに記憶れていない電話番号を含む携帯情報読出応答信号を受信した場合には、当該電話番号に対応する携帯電話との使い分けを不可能にするので、電話番号をＳＩＭカードに記憶させていない携帯電話を用いて、自動車電話装置１００を無断使用することを防止できる。
【００５０】
また、上記実施形態では、自動車電話装置１００が、登録データに基づき、携帯電話２０１、２０２の一方を選択して、この選択された携帯電話から自動車電話装置１００に使用可能な電話器を切り換えるようにしたものを示したが、携帯電話２０１、２０２の一方を選択するのに、登録データではなく、先に自動車電話装置１００に接続した携帯電話を優先させるようにしてもよい。
【００５１】
さらに、上記実施形態では、自動車電話装置１００と携帯電話２０１、２０２との間を接続するためのインターフェイス回路としては、ＵＳＢやＵＡＲＴの規格に対応するものを用いたものを示したが、これに限らず、Ｂｌｅｕｔｏｏｔｈなどの無線通信を用いて、自動車電話装置１００と携帯電話２０１、２０２との間を接続するようにしてもよい。
【図面の簡単な説明】
【図１】本発明に係る一実施形態の自動車電話装置１００の構成を示す図である。
【図２】上記一実施形態の作用を示すフローチャートである。
【図３】図１のメモリに記憶されるデータを示す図表である。
【図４】上記一実施形態の作用を説明する為の図である。
【図５】従来技術を説明するための図である。
【符号の説明】
１０…送受信部、１１…データ変換部、１２…音声処理部、
１３…スピーカ、１４…マイク、２０…キー操作部、２１…キー操作検出部、
２３…スイッチ検出部、３０…ディスプレイ、３１…表示制御部、
４０…携帯電話接続管理部、４１乃至４３…インターフェス回路、
５０…制御回路、５１…メモリ、６０…車両情報管理部。
【図１】
2004193641.tif 000003
【図２】
2004193641.tif 000004
【図３】
2004193641.tif 000005
【図４】
2004193641.tif 000006
【図５】
2004193641.tif 000007